(57)【要約】【課題】  アレルゲンを低減できる装置を提供すること。【解決手段】  ファンにより通気部６２１、６２２から縦穴部６内に空気を供給し、該空気の一部により、環状開口２２から、オゾン発生器５から供給されるオゾンを仕切り板２２１の規制によって回転流として吹き出させ、上記空気の残りにより、霧滴化された過酸化水素水を筒体６１内の上方に運んで円開口２１から吹き出させるようになっている。また、縦穴部６の底部に溜められた過酸化水素水の液面は、センサー８１、８２により一定の高さ範囲に制御されるようになっている。【選択図】  図４
2005237774.tif 000002
【特許請求の範囲】
【請求項１】
アレルゲンを低減させる装置であって、
オゾンを放出すると同時に、過酸化水素水又は蒸留水を霧滴化して放出するようになっていることを特徴とするアレルゲン低減装置。
【請求項２】
上に開いた開口を有する縦穴部と、縦穴部内に側方からオゾンを供給するオゾン発生器と、縦穴部の底部に溜められた過酸化水素水又は蒸留水を霧滴化する超音波振動子と、縦穴部内に側方から空気を供給するファンと、縦穴部の底部に過酸化水素水又は蒸留水を供給するボトルと、駆動電源回路を有する制御機構と、を備え、
縦穴部は、内部に同心に配置された筒体を有し、筒体は、縦穴部の底面から所定の高さ位置にて支持されており、
縦穴部の底部には、そこに溜められる過酸化水素水又は蒸留水の液面の上限及び下限を検知するセンサーが設置されており、センサーは液面の上限及び下限を検知すると制御機構に信号を送るようになっており、センサーが検知する液面の上限は筒体の上記所定の高さ位置より低く設定されており、
制御機構は、センサーからの信号を受けると、ファン、オゾン発生器、及び超音波振動子の作動を停止させるよう作動するようになっており、
超音波振動子は縦穴部の底面中央に設けられており、
ボトルは、縦穴部の底部に溜められる過酸化水素水又は蒸留水の液面を超音波振動子からみて最適の高さ位置とするような高さ位置に、着脱自在に設けられており、
ファンは、縦穴部に両側方から空気を供給するよう設けられており、
縦穴部の開口は、筒体上縁の円開口と筒体周縁の環状開口との二重構造となっており、環状開口には、多数の仕切り板が円周方向適当間隔置きに且つ円周方向の同方向に傾斜して設けられている、請求項１記載のアレルゲン低減装置。
【請求項３】
駆動電源回路が、直流電源及び商用交流電源の両方で使用可能に構成されている請求項２記載のアレルゲン低減装置。
【発明の詳細な説明】
【技術分野】
【０００１】
本発明は、オゾンを用いてアレルゲンを低減する装置に関するものである。
【背景技術】
【０００２】
現代においては、ダニや花粉等のアレルゲンに起因したアレルギー疾患が、顕著に拡大してきている。そして、その対策としては、空気清浄機等の除塵装置が一般に使用されている。
【特許文献１】特開２０００−５５３１号公報
【発明の開示】
【発明が解決しようとする課題】
【０００３】
しかるに、アレルゲンに対して敏感な人の数は増大傾向にあるため、より高性能な対策装置が要望されている。
【０００４】
本発明は、アレルゲンを低減できる装置を提供することを目的としている。
【課題を解決するための手段】
【０００５】
請求項１記載の発明は、アレルゲンを低減させる装置であって、オゾンを放出すると同時に、過酸化水素水又は蒸留水を霧滴化して放出するようになっていることを特徴とするアレルゲン低減装置である。
【０００６】
なお、本発明の装置の対象となるアレルゲンとしては、ダニや花粉等が挙げられる。
【０００７】
請求項２記載の発明は、請求項１記載の発明において、上に開いた開口を有する縦穴部と、縦穴部内に側方からオゾンを供給するオゾン発生器と、縦穴部の底部に溜められた過酸化水素水又は蒸留水を霧滴化する超音波振動子と、縦穴部内に側方から空気を供給するファンと、縦穴部の底部に過酸化水素水又は蒸留水を供給するボトルと、駆動電源回路を有する制御機構と、を備え、縦穴部は、内部に同心に配置された筒体を有し、筒体は、縦穴部の底面から所定の高さ位置にて支持されており、縦穴部の底部には、そこに溜められる過酸化水素水又は蒸留水の液面の上限及び下限を検知するセンサーが設置されており、センサーは液面の上限及び下限を検知すると制御機構に信号を送るようになっており、センサーが検知する液面の上限は筒体の上記所定の高さ位置より低く設定されており、制御機構は、センサーからの信号を受けると、ファン、オゾン発生器、及び超音波振動子の作動を停止させるよう作動するようになっており、超音波振動子は縦穴部の底面中央に設けられており、ボトルは、縦穴部の底部に溜められる過酸化水素水又は蒸留水の液面を超音波振動子からみて最適の高さ位置とするような高さ位置に、着脱自在に設けられており、ファンは、縦穴部に両側方から空気を供給するよう設けられており、縦穴部の開口は、筒体上縁の円開口と筒体周縁の環状開口との二重構造となっており、環状開口には、多数の仕切り板が円周方向適当間隔置きに且つ円周方向の同方向に傾斜して設けられているものである。
【０００８】
請求項３記載の発明は、請求項２記載の発明において、駆動電源回路が、直流電源及び商用交流電源の両方で使用可能に構成されているものである。
【発明の効果】
【０００９】
請求項１記載の発明によれば、オゾンと水分との反応によって遊離ヒドロキシラジカルが生成するので、それによってアレルゲンを不活化できる。従って、アレルゲンを低減できる。なお、ここで、不活化とは、アレルゲンを、アレルギーを引き起こす原因とはならない状態とすることを意味する。アレルゲンが不活化されると、アレルゲンとして作用する正味のアレルゲンの量が減少していき、即ち、アレルゲンが低減される。
【００１０】
請求項２記載の発明によれば、次のような効果を発揮できる。
（１）円開口から霧滴化された過酸化水素水又は蒸留水を吹き出すことができ、環状開口からオゾンを吹き出すことができるので、両者を接触させた後、アレルゲンに接触させることができる。その際、霧滴状態の過酸化水素水又は蒸留水と接触するオゾンの濃度が高くなり、しかも、過酸化水素水を吹き出す場合にはオゾンと水分との反応が過酸化水素の触媒作用によって促進されるので、遊離ヒドロキシラジカルを効率良く生成させることができる。従って、アレルゲンに対する不活化効果を向上できる。
【００１１】
（２）円開口から、霧滴化された過酸化水素水又は蒸留水を空気と共に吹き出すことができ、環状開口から、回転流となった空気をオゾンと共に吹き出すことができるので、過酸化水素水又は蒸留水と、オゾンと、を拡散させることなく、遠くまで到達させることができる。しかも、空気を円開口及び環状開口から均等に吹き出すことができるので、上記効果を助長できる。
【００１２】
（３）ファンにより縦穴部に両側方から供給された空気により、霧滴化された過酸化水素水又は蒸留水を筒体内の上方へ運ぶことができるので、霧滴化された過酸化水素水又は蒸留水を無駄なく、円開口から吹き出すことができる。
【００１３】
（４）センサーにより、縦穴部の底部に溜められた過酸化水素水又は蒸留水の液面を一定の高さ範囲に制御できるので、超音波振動子の振動面と液面との距離が大きく変化するのを防止でき、霧滴化効率を良好な範囲に維持できる。
【００１４】
請求項３記載の発明によれば、直流電源用の差し込みプラグ及び商用交流電源用の差し込みプラグを備え、制御機構の駆動電源回路を両者を使用可能に構成しているので、車両、航空機等の移動体の場合及び室内の場合の両方に適用できる。
【発明を実施するための最良の形態】
【００１５】
図１及び図２は本発明のアレルゲン低減装置の斜視図である。この装置において、本体１の上面１１はヒンジ支持された蓋１２により開閉されるようになっており、不使用時には蓋１２を閉じ、蓋１２上面の取っ手（図示せず）を把持して持ち運べるようになっている。また、上面１１には、吹き出し口２が開口しており、また、直流電源用の差し込みプラグ１３及びその収納室１４が設けられている。本体１の一方の側面には内部空間に通じる吸い込み口が設けられており、その吸い込み口にはフィルター１５が嵌め込まれている。本体１の裏面には、商用交流電源用の差し込みプラグ１６が設けられている。本体１の下部１７には、駆動電源回路等の制御機構（図示せず）が隔離して収納されている。本体１の他方の側面にはボトル３の格納室１８が独立して設けられている。格納室１８はヒンジ支持された蓋１９により開閉されるようになっている。格納室１８はボトル３を３本並べて収容できるようになっている。
【００１６】
図３は本体１の平面略図である。なお、プラグ１３及び収納室１４は図示していない。本体１内には、２個のファン４１、４２及びオゾン発生器５が設けられている。図４は図３のIV−IV断面図、図５は図３のＶ−Ｖ断面図である。本体１内には縦穴部６が設けられており、縦穴部６の上に開いた開口が吹き出し口２となっている。
【００１７】
縦穴部６内には筒体６１が同心に配置されており、筒体６１は縦穴部６の底面６ａから所定の高さ位置Ｈにて支持されている。ここでは、筒体６１が起立したフィン６１１上に載置されている。筒体６１の上縁は吹き出し口２面と一致して円開口２１となっており、筒体６１周縁は環状開口２２となっている。即ち、吹き出し口２は円開口２１と環状開口２２との二重構造となっている。筒体６１の円開口２１の少し下方の位置には上下に通気可能な格子円板６１２が着脱可能に嵌め込まれている。
【００１８】
環状開口２２には、多数の仕切り板２２１が円周方向適当間隔置きに且つ円周方向の同方向に傾斜して設けられている。ここでは、仕切り板２２１は矢印Ａ方向（図３）に向けて漸次低くなるよう傾斜している。
【００１９】
縦穴部６の底面６ａの中央には、縦穴部６の底部に溜められた過酸化水素水１０を霧滴化するための超音波振動子７が設けられている。
【００２０】
縦穴部６の底部には、そこに溜められる過酸化水素水１０の液面１０１の上限位置を検知する上限用センサー８１及び下限位置を検知する下限用センサー８２が設けられている。センサー８１は、図６に示すように、支持棒８１１の頂点付近に設けられた電気的接点８１２と、過酸化水素水１０に浮くフロート８１３の上面付近に設けられた電気的接点８１４とが、フロート８１３が過酸化水素水１０の液面１０１と共に支持棒８１１に沿って上下動することによって接続したり離れたりすることによって、液面１０１を検知するようになっている。センサー８２も同じ構成である。また、センサー８１、８２は、それぞれ上限、下限を検知して制御機構に信号を送り、制御機構は、ブザー等（図示せず）を作動させるとともに、ファン４１、４２、オゾン発生器５、及び超音波振動子７の作動を停止させるようになっている。なお、上限用センサー８１が検知する液面１０１の上限は、上記高さ位置Ｈより低く設定されており、これにより、筒体６１の下方には液面１０１との間に空間が確保されている。
【００２１】
縦穴部６の側壁６ｂの上部の、仕切り板２２１の下方の、対向した箇所には、図４に示すように縦穴部６の内外を通じさせる通気部６２１、６２２が形成されており、それ以外の箇所には、図５に示すように側壁６ｂがそのまま存在するとともに張り出し部６ｃが仕切り板２２１との間に隙間を有して存在している。
【００２２】
オゾン発生器５は、オゾンを通気部６２１から縦穴部６内に供給するよう配設されている。
【００２３】
本体１内は、フィルター１５を介してファン４１に吸い込まれた空気が、図３にて矢印Ｂで示すように、通気部６２１を通して縦穴部６内に供給されるよう構成されているとともに、ファン４２に吸い込まれた空気が、図３の矢印Ｃに示すように、通気部６２２を通して縦穴部６内に供給されるよう構成されている。
【００２４】
ボトル３は、排出口３１を格納室１８の凹部１８１に着脱自在に嵌合して取り付けられている。凹部１８１は、排出口３１の高さを、図５に示すように、縦穴部６の底部に溜められる過酸化水素水１０の液面１０１を超音波振動子７からみて最適の高さ位置とするような高さ位置とするよう、設定されている。
【００２５】
次に、作動について説明する。
まず、ボトル３を格納室１８内に取り付ける。ボトル３の用いる本数は、脱臭等の対象とする部屋の広さ等に応じて決定する。ボトル３を取り付けると、図５に示すように、ボトル３内の過酸化水素水１０が、縦穴部６内の底部に流入し、凹部１８１の設定した高さ（ボトル３の口の下面位置）まで溜まる。
【００２６】
次に、プラグ１３又はプラグ１６がコンセントに差し込まれた状態でスイッチ１００をオンすると、制御機構が作動して、ファン４１、４２、オゾン発生器５、及び超音波振動子７が作動する。
【００２７】
超音波振動子７が作動すると、縦穴部６の底部に溜まっている過酸化水素水１０が霧滴化され、液面１０１の上方に霧滴が発生する。一方、オゾン発生器５が作動すると、オゾンが通気部６２１から縦穴部６内に供給され、その直ぐ上方の環状開口２２へ流れていく。また、ファン４１、４２が作動すると、空気が通気部６２１、６２２から縦穴部６内に供給される。通気部６２１から供給された空気は、一部が図４の矢印Ｄ１に示すようにオゾンを伴って環状開口２２へ流れていき、残りが矢印Ｄ２に示すように下方に流れていって筒体６１の下縁を回り込んで筒体６１内に流れ込み、霧滴化されている過酸化水素水を伴って上方へ流れていく。また、通気部６２２から供給された空気も、同様に、矢印Ｄ１、Ｄ２に示すように流れていく。
【００２８】
これにより、霧滴化された過酸化水素水は、円開口２１から空気流と共に上方へ吹き出される。一方、環状開口２２に流れ込んだ空気流は、オゾンを伴ったまま、仕切り板２２１の規制を受けて回転流となって上方へ吹き出される。なお、通気部６２１、６２２は対向した位置関係にあるので、空気流は縦穴部６内へ両側方から流れ込むこととなり、それ故、筒体６１内を上昇して円開口２１から吹き出される空気流及び環状開口２２から吹き出される空気流は偏りのない均等なものとなる。
【００２９】
上記作動中において、過酸化水素水１０の液面１０１は、センサー８１、８２により、一定の高さ範囲に制御される。即ち、液面１０１が下がると、センサー８２のフロート８２３が下がって接点（図示せず）の接続が切れたことを示す信号が制御機構に送られ、超音波振動子７を含めて運転を停止する。一方、液面１０１が上がると、センサー８１のフロート８１３が上がって接点８１２、８１４が接続したことを示す信号が制御機構に送られ、ボトル３を入れたまま移動したり振動を与えることによって、不必要に液面１０１が上がりすぎて霧化量が低下するのを防ぐために、アラーム音を出し、運転を停止する。
【００３０】
上記構成の装置においては、次のような作用を奏する。
（１）円開口２１から霧滴化された過酸化水素水が吹き出され、環状開口２２からオゾンが吹き出され、両者が接触した後、アレルゲンに接触することとなる。その際、霧滴状態の過酸化水素水と接触するオゾンの濃度が高くなり、しかも、オゾンと水分との反応が過酸化水素の触媒作用によって促進されるので、遊離ヒドロキシラジカルを効率良く生成することとなる。従って、アレルゲンに対する不活化効果が向上する。
【００３１】
（２）円開口２１から、霧滴化された過酸化水素水が空気と共に吹き出され、環状開口２２から、回転流となった空気がオゾンと共に吹き出されるので、過酸化水素水及びオゾンは拡散することなく、遠くまで到達する。しかも、空気は円開口２１及び環状開口２２から均等に吹き出されるので、上記作用は助長される。
【００３２】
（３）霧滴化された過酸化水素水は、ファン４１、４２により通気部６２１、６２２を通して供給された空気により筒体６１内を上方へ運ばれるので、無駄なく、円開口２１から吹き出される。
【００３３】
（４）超音波振動子は、一般に、振動面と液面との距離によって霧滴化効率が大幅に変化する性質を有しているが、上記構成の装置では、縦穴部６の底部に溜められた過酸化水素水１０の液面１０１が一定の高さ範囲に制御されるので、超音波振動子７の振動面と液面１０１との距離が大きく変化することはなく、霧滴化効率が良好な範囲に維持される。
【００３４】
（５）直流電源用の差し込みプラグ１３及び商用交流電源用の差し込みプラグ１６が設けられており、制御機構の駆動電源回路が両者を使用可能に構成されているので、車両、航空機等の移動体の場合にはプラグ１３を使用してアレルゲンの不活化が行われ、室内の場合にはプラグ１６を使用してアレルゲンの不活化が行われる。
【００３５】
なお、上記構成の装置においては、過酸化水素水１０の代わりに蒸留水を用いてもよい。その場合でも、上記構成の装置は、同様に作動して、アレルゲンを不活化する。
【実施例】
【００３６】
１．３８ｍ３の密閉されたチャンバー内に、上記構成の装置と、直径９ｃｍのシャーレに載せられたアレルゲンと、を置き、室温下で、上記構成の装置を作動させて、アレルゲン量の時間変化を測定した。測定は、アサヒビール株式会社製の商品名「ダニスキャン」によって行った。なお、表１に示すように、アレルゲンの種類及び量と、霧滴化する媒体とを、実施例１〜８のように設定した。また、発生させるオゾンの濃度は２０ｐｐｍとした。また、霧滴化する媒体が過酸化水素水の場合は、チャンバー内を飽和蒸気圧とした。その結果を表２に示す。
【００３７】
【表１】
2005237774.tif 000003
【００３８】
【表２】
2005237774.tif 000004
【００３９】
表２から理解できるように、上記構成の装置を作動させると、アレルゲン量が減少していく傾向がある。即ち、上記構成の装置によれば、アレルゲンを低減することができる。
【産業上の利用可能性】
【００４０】
本発明は、オゾンを用いてアレルゲンを低減できるものであるので、産業上の利用価値が大である。
【図面の簡単な説明】
【００４１】
【図１】本発明の脱臭・消臭・殺菌装置の斜視図である。
【図２】図１と同じく斜視図である。
【図３】図１の装置の本体の平面略図である。
【図４】図３のIV−IV断面図である。
【図５】図３のＶ−Ｖ断面図である。
【図６】図１の装置のセンサーの要部正面図である。
【符号の説明】
【００４２】
２  開口
２１  円開口
２２  環状開口
２２１  仕切り板
３  ボトル
４１、４２  ファン
５  オゾン発生器
６  縦穴部
６ａ底面
６１  筒体
７  超音波振動子
８１、８２  センサー
１０  過酸化水素水
１０１  液面
１３  （直流電源用）差し込みプラグ
１６  （商用交流電源用）差し込みプラグ
【図１】
2005237774.tif 000005
【図２】
2005237774.tif 000006
【図３】
2005237774.tif 000007
【図４】
2005237774.tif 000008
【図５】
2005237774.tif 000009
【図６】
2005237774.tif 000010